(57)【特許請求の範囲】
【請求項１】
移動局の第１無線基地局配下のセルから第２無線基地局配下のセルに対するハンドオーバ手順を行うことができる移動通信システムであって、
ＣＯＵＮＴ値は、上位ビットとしてＨＦＮを有し、下位ビットとしてＰＤＣＰ-ＳＮを有する値であり、
前記ＨＦＮは、前記ＰＤＣＰ-ＳＮが一巡する度にインクリメントされるように構成されており、
前記ＰＤＣＰ-ＳＮは、ＰＤＣＰレイヤ機能においてＰＤＣＰ-ＰＤＵを生成する度にインクリメントされるように構成されており、
前記第１無線基地局において、ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、
前記移動局において、ＰＤＣＰレイヤ機能は、受信したＰＤＣＰ-ＰＤＵに付与されているＣＯＵＮＴ値を形成するＰＤＣＰ-ＳＮが順序補正ウィンドウ外の値である場合、該ＰＤＣＰ-ＰＤＵを破棄するように構成されており、
第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、
第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、
次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記第１無線基地局は、前記ハンドオーバ手順において、前記第２無線基地局に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、
前記所定値は、前記順序補正ウィンドウのサイズよりも小さい値であり、
前記順序補正ウィンドウは、前記移動局において該順序補正ウィンドウ内のＰＤＣＰ-ＳＮが付与されているＰＤＣＰ-ＰＤＵが受信された場合に更新されるように構成されていることを特徴とする移動通信システム。
【請求項２】
移動局の第１無線基地局配下のセルから第２無線基地局配下のセルに対するハンドオーバ手順を行うことができる移動通信システムにおいて該第１無線基地局として動作可能な無線基地局であって、
ＰＤＣＰレイヤ機能と、
転送部とを具備しており、
ＣＯＵＮＴ値は、上位ビットとしてＨＦＮを有し、下位ビットとしてＰＤＣＰ-ＳＮを有する値であり、
前記ＨＦＮは、前記ＰＤＣＰ-ＳＮが一巡する度にインクリメントされるように構成されており、
前記ＰＤＣＰ-ＳＮは、ＰＤＣＰレイヤ機能においてＰＤＣＰ-ＰＤＵを生成する度にインクリメントされるように構成されており、
前記ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、
第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、
第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、
次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記転送部は、前記ハンドオーバ手順において、前記第２無線基地局に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、
前記所定値は、前記移動局のＰＤＣＰレイヤ機能において用いられている順序補正ウィンドウのサイズよりも小さい値であり、
前記順序補正ウィンドウは、前記移動局において該順序補正ウィンドウ内のＰＤＣＰ-ＳＮが付与されているＰＤＣＰ-ＰＤＵが受信された場合に更新されるように構成されていることを特徴とする無線基地局。
【請求項３】
移動局の無線基地局配下の第１セルから第２セルへの再接続手順を行うことができる移動通信システムであって、
ＣＯＵＮＴ値は、上位ビットとしてＨＦＮを有し、下位ビットとしてＰＤＣＰ-ＳＮを有する値であり、
前記ＨＦＮは、前記ＰＤＣＰ-ＳＮが一巡する度にインクリメントされるように構成されており、
前記ＰＤＣＰ-ＳＮは、ＰＤＣＰレイヤ機能においてＰＤＣＰ-ＰＤＵを生成する度にインクリメントされるように構成されており、
前記無線基地局において、ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、
前記移動局において、ＰＤＣＰレイヤ機能は、受信したＰＤＣＰ-ＰＤＵに付与されているＣＯＵＮＴ値を形成するＰＤＣＰ-ＳＮが順序補正ウィンドウ外の値である場合、該ＰＤＣＰ-ＰＤＵを破棄するように構成されており、
第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、
第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、
次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記無線基地局の前記第１セルを管理する機能は、前記再接続手順において、該無線基地局の前記第２セルを管理する機能に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、
前記所定値は、前記順序補正ウィンドウのサイズよりも小さい値であり、
前記順序補正ウィンドウは、前記移動局において該順序補正ウィンドウ内のＰＤＣＰ-ＳＮが付与されているＰＤＣＰ-ＰＤＵが受信された場合に更新されるように構成されていることを特徴とする移動通信システム。
【請求項４】
前記第１セル及び前記第２セルは、同一セルであることを特徴とする請求項３に記載の移動通信システム。
【請求項５】
前記ＰＤＣＰ-ＳＮは、ＧＴＰヘッダオプションによって通知されることを特徴とする請求項１から３の何れか１つに記載の移動通信システム。
【請求項６】
移動局の第１セルから第２セルに対する再接続手順を行うことができる移動通信システムにおいて該第１セル及び該第２セルを管理する無線基地局であって、
ＰＤＣＰレイヤ機能と、
前記第１セルを管理する機能と、
前記第２セルを管理する機能とを具備しており、
ＣＯＵＮＴ値は、上位ビットとしてＨＦＮを有し、下位ビットとしてＰＤＣＰ-ＳＮを有する値であり、
前記ＨＦＮは、前記ＰＤＣＰ-ＳＮが一巡する度にインクリメントされるように構成されており、
前記ＰＤＣＰ-ＳＮは、ＰＤＣＰレイヤ機能においてＰＤＣＰ-ＰＤＵを生成する度にインクリメントされるように構成されており、
前記ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、
第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、
第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、
次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記第１セルを管理する機能は、前記再接続手順において、前記第２セルを管理する機能に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、
前記所定値は、前記移動局のＰＤＣＰレイヤ機能において用いられている順序補正ウィンドウのサイズよりも小さい値であり、
前記順序補正ウィンドウは、前記移動局において該順序補正ウィンドウ内のＰＤＣＰ-ＳＮが付与されているＰＤＣＰ-ＰＤＵが受信された場合に更新されるように構成されていることを特徴とする無線基地局。
【請求項７】
前記第１セル及び前記第２セルは、同一セルであることを特徴とする請求項６に記載の無線基地局。
【請求項８】
前記ＰＤＣＰ-ＳＮは、ＧＴＰヘッダオプションによって通知されることを特徴とする請求項６に記載の無線基地局。
【請求項９】
移動局の無線基地局配下の第１セルから第２セルへのハンドオーバ手順を行うことができる移動通信システムであって、
ＣＯＵＮＴ値は、上位ビットとしてＨＦＮを有し、下位ビットとしてＰＤＣＰ-ＳＮを有する値であり、
前記ＨＦＮは、前記ＰＤＣＰ-ＳＮが一巡する度にインクリメントされるように構成されており、
前記ＰＤＣＰ-ＳＮは、ＰＤＣＰレイヤ機能においてＰＤＣＰ-ＰＤＵを生成する度にインクリメントされるように構成されており、
前記無線基地局において、ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、
前記移動局において、ＰＤＣＰレイヤ機能は、受信したＰＤＣＰ-ＰＤＵに付与されているＣＯＵＮＴ値を形成するＰＤＣＰ-ＳＮが順序補正ウィンドウ外の値である場合、該ＰＤＣＰ-ＰＤＵを破棄するように構成されており、
第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、
第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、
次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記無線基地局の前記第１セルを管理する機能は、前記ハンドオーバ手順において、該無線基地局の前記第２セルを管理する機能に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、
前記所定値は、前記順序補正ウィンドウのサイズよりも小さい値であり、
前記順序補正ウィンドウは、前記移動局において該順序補正ウィンドウ内のＰＤＣＰ-ＳＮが付与されているＰＤＣＰ-ＰＤＵが受信された場合に更新されるように構成されていることを特徴とする移動通信システム。
【請求項１０】
前記第１セル及び前記第２セルは、同一セルであることを特徴とする請求項９に記載の移動通信システム。
【請求項１１】
前記ＰＤＣＰ-ＳＮは、ＧＴＰヘッダオプションによって通知されることを特徴とする請求項９に記載の移動通信システム。
【請求項１２】
移動局の第１セルから第２セルに対するハンドオーバ手順を行うことができる移動通信システムにおいて該第１セル及び該第２セルを管理する無線基地局であって、
ＰＤＣＰレイヤ機能と、
前記第１セルを管理する機能と、
前記第２セルを管理する機能とを具備しており、
ＣＯＵＮＴ値は、上位ビットとしてＨＦＮを有し、下位ビットとしてＰＤＣＰ-ＳＮを有する値であり、
前記ＨＦＮは、前記ＰＤＣＰ-ＳＮが一巡する度にインクリメントされるように構成されており、
前記ＰＤＣＰ-ＳＮは、ＰＤＣＰレイヤ機能においてＰＤＣＰ-ＰＤＵを生成する度にインクリメントされるように構成されており、
前記ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、
第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、
第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、
次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記第１セルを管理する機能は、前記ハンドオーバ手順において、前記第２セルを管理する機能に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、
前記所定値は、前記移動局のＰＤＣＰレイヤ機能において用いられている順序補正ウィンドウのサイズよりも小さい値であり、
前記順序補正ウィンドウは、前記移動局において該順序補正ウィンドウ内のＰＤＣＰ-ＳＮが付与されているＰＤＣＰ-ＰＤＵが受信された場合に更新されるように構成されていることを特徴とする無線基地局。
【請求項１３】
前記第１セル及び前記第２セルは、同一セルであることを特徴とする請求項１２に記載の無線基地局。
【請求項１４】
前記ＰＤＣＰ-ＳＮは、ＧＴＰヘッダオプションによって通知されることを特徴とする請求項１２に記載の無線基地局。
【発明の詳細な説明】
【技術分野】
【０００１】
本発明は、移動通信システム及び無線基地局に関する。
【背景技術】
【０００２】
ＬＴＥ（Ｌｏｎｇ  Ｔｅｒｍ  Ｅｖｏｌｕｔｉｏｎ）方式では、 一般的に無線基地局間ハンドオーバ（Ｉｎｔｅｒ-ｅＮＢ  ＨＯ）の際に、ハンドオーバ元無線基地局ｅＮＢ（Ｓｏｕｒｃｅ-ｅＮＢ) が、ハンドオーバ先無線基地局ｅＮＢ（Ｔａｒｇｅｔ-ｅＮＢ）に対して、移動局ＵＥからのＡＣＫ（送達確認情報）を確認できなかったデータ及び当該データに関連する状態変数を転送することで、ハンドオーバにより移動局ＵＥの「Ｓｅｒｖｉｎｇ-ｅＮＢ」が変わった場合であっても、ロスレス通信を実現することが可能となる。
【０００３】
無線基地局ｅＮＢにおいて、ＰＤＣＰ（Ｐａｃｋｅｔ  Ｄａｔａ  Ｃｏｎｖｅｒｇｅｎｃｅ  Ｐｒｏｔｏｃｏｌ）レイヤ機能が、データ転送処理に主に関連する。
【０００４】
具体的には、ＰＤＣＰレイヤ機能は、主に、データの秘匿/解読（Ｃｉｐｈｅｒｉｎｇ/Ｄｅｃｉｐｈｅｒｉｎｇ）処理や、ヘッダ圧縮（Ｈｅａｄｅｒ  ｃｏｍｐｒｅｓｓｉｏｎ/ｄｅ-ｃｏｍｐｒｅｓｓｉｏｎ）処理や、データの改ざん検出（Ｉｎｔｅｇｒｉｔｙ  Ｐｒｏｔｅｃｔｉｏｎ）処理を行うように構成されている。
【０００５】
ＰＤＣＰレイヤ機能は、状態変数として、ＨＦＮ（Ｈｙｐｅｒ  Ｆｒａｍｅ  Ｎｕｍｂｅｒ）及びＰＤＣＰ-ＳＮ（Ｓｅｑｕｅｎｃｅ  Ｎｕｍｂｅｒ）を管理しており、かかる状態変数を入力値として、上述の秘匿/解読処理やヘッダ圧縮処理を行うように構成されている。
【０００６】
ここで、移動局ＵＥと無線基地局ｅＮＢとの間で、上述のＨＦＮの値に整合性が維持できていなければ、受信側装置において正常な解読処理を行うことができず、送信されたデータ（例えば、ＩＰパケット）を抽出することができない。
【０００７】
したがって、上述のデータの転送を行う際には、移動局ＵＥとハンドオーバ先無線基地局ｅＮＢと間で、ＨＦＮの整合性を維持したまま、ハンドオーバ手順を実施する必要がある。
【０００８】
以下、ＰＤＣＰレイヤ機能における送受信処理について具体的に説明する。
【０００９】
送信側装置のＰＤＣＰレイヤ機能（ＰＤＣＰ  ｅｎｔｉｔｙ）は、送信処理において、ＰＤＣＰ-ＳＤＵ（Ｓｅｒｖｉｃｅ  Ｄａｔｅ  Ｕｎｉｔ）に対してＨＦＮを用いて秘匿処理（及び、ヘッダ圧縮処理）を施し、ＰＤＣＰ-ＳＮを付与することによってＰＤＣＰ-ＰＤＵ（Ｐｒｏｔｏｃｏｌ  Ｄａｔａ  Ｕｎｉｔ）を生成して、ＲＬＣ（Ｒａｄｉｏ  Ｌｉｎｋ  Ｃｏｎｔｒｏｌ）レイヤ機能に送信するように構成されている。
【００１０】
ここで、「ＰＤＣＰ-ＳＮ」は、ＰＤＣＰレイヤ機能においてＰＤＣＰ-ＰＤＵを生成する度にインクリメントされるシーケンス番号であり、「０」〜「４０９５」の範囲の値を取る。
【００１１】
また、「ＨＦＮ」は、ＰＤＣＰ-ＳＮが一巡する度にインクリメントされるものであり、「０」〜「１０４８５７６」の範囲の値を取る。
【００１２】
さらに、「ＣＯＵＮＴ値」は、上位ビットとしてＨＦＮを有し、下位ビットとしてＰＤＣＰ-ＳＮを有する値である。
【００１３】
受信側装置のＰＤＣＰレイヤ機能（ＰＤＣＰ  ｅｎｔｉｔｙ）は、「Ｒｘ_ｒｅｏｒｄｅｒｉｎｇ_ｗｉｎｄｏｗ（順序補正ウィンドウ）」及びＨＦＮを管理するように構成されている。
【００１４】
ここで、「Ｒｘ_ｒｅｏｒｄｅｒｉｎｇ_ｗｉｎｄｏｗ」のサイズは、ＰＤＣＰ-ＳＮの取り得る範囲の半分の値（例えば、２０４８）である。
【００１５】
受信側装置のＰＤＣＰレイヤ機能は、受信したＰＤＣＰ-ＰＤＵに付与されているＰＤＣＰ-ＤＮ（Ｒｅｃｅｉｖｅｄ-ＳＮ）の値が「Ｒｘ_ｒｅｏｒｄｅｒｉｎｇ_ｗｉｎｄｏｗ」内であれば、かかるＰＤＣＰ-ＰＤＵを受信バッファに格納して上位レイヤ機能に対して送出し、受信したＰＤＣＰ-ＰＤＵに付与されているＰＤＣＰ-ＤＮ（Ｒｅｃｅｉｖｅｄ-ＳＮ）の値が「Ｒｘ_ｒｅｏｒｄｅｒｉｎｇ_ｗｉｎｄｏｗ」外であれば、かかるＰＤＣＰ-ＰＤＵを破棄するように構成されている（順序補正処理）。
【００１６】
なお、受信したＰＤＣＰ-ＰＤＵに付与されているＰＤＣＰ-ＤＮ（Ｒｅｃｅｉｖｅｄ-ＳＮ）の値が「Ｒｘ_ｒｅｏｒｄｅｒｉｎｇ_ｗｉｎｄｏｗ」内であり、かつ、最後に上位レイヤ機能に対して送出したＰＤＣＰ-ＰＤＵに付与されていたＰＤＣＰ-ＳＮ（Ｌａｓｔ_ｓｕｂｍｉｔｔｅｄ_ＳＮ）よりも小さい場合には、送信側装置のＰＤＣＰレイヤ機能においてＨＦＮが一巡したと見なして、受信側装置のＰＤＣＰレイヤ機能は、ＨＦＮをインクリメントし、インクリメントしたＨＦＮを用いて解読処理を行うように構成されている。
【００１７】
また、従来の無線基地局ｅＮＢ間のデータ転送制御では、例えば、ハンドオーバ元無線基地局ｅＮＢは、ハンドオーバ先無線基地局ｅＮＢに対して、「ＲＬＣ-ＡＭ（Ａｃｋｎｏｗｌｅｄｇｅ  Ｍｏｄｅ）」が適用されるＤＲＢ（Ｄａｔａ  Ｒａｄｉｏ  Ｂｅａｒｅｒ）がマッピングされる全てのＰＤＣＰレイヤ機能について、以下の情報を転送するように構成されている。
【００１８】
-  次のＤＬ-ＰＤＣＰ-ＳＤＵの処理に用いる予定のＣＯＵＮＴ値を形成するＨＦＮ及びＰＤＣＰ-ＳＮ
-  ＲＬＣレイヤ機能に対して既に送信されているＰＤＣＰ-ＰＤＵであり、かつ、かかるＰＤＣＰ-ＰＤＵに対応する全てのＲＬＣ-ＰＤＵに対するＲＬＣ-ＡＣＫが確認できていないＰＤＣＰ-ＰＤＵに対応するＰＤＣＰ-ＳＤＵ
-  ＣＯＵＮＴ値を用いた処理及びＰＤＣＰ-ＳＮの付与が既に行われており、かつ、ＲＬＣレイヤ機能に対して未だ送信されていないＰＤＣＰ-ＰＤＵに対応するＰＤＣＰ-ＳＤＵ
-  ＰＤＣＰ-ＳＮが未だ付与されていないＰＤＣＰ-ＳＤＵ
また、ハンドオーバ元無線基地局ｅＮＢは、ＧＴＰヘッダオプションによって、ハンドオーバ先無線基地局ｅＮＢに対して、ＰＤＣＰ-ＳＤＵに既に付与されているＰＤＣＰ-ＳＮを通知するように構成されている。
【００１９】
同様に、移動局ＵＥの無線基地局ｅＮＢ配下の第１セル（接続元セル）から第２セル（接続先セル）への再接続手順においても、無線基地局ｅＮＢ内の第１セルを管理する機能が、無線基地局ｅＮＢ内の第２セルを管理する機能に対して、上述の情報を転送するように構成されている。
【先行技術文献】
【非特許文献】
【００２０】
【非特許文献１】３ＧＰＰ ＴＳ２９.０６０
【非特許文献１】３ＧＰＰ ＴＳ３６.３００
【発明の概要】
【発明が解決しようとする課題】
【００２１】
しかしながら、無線基地局ｅＮＢ間の伝送路では、必ずしもロスレス通信が実施されるとは限らない。例えば、ルータの故障等によって、かかる伝送路においてデータが欠落する場合もある。
【００２２】
特に、かかる伝送路で、バルクパケットロスが生じた状態で、ハンドオーバ先無線基地局ｅＮＢが、上位ノードから受信した下りリンクデータに対して、新たなＨＦＮを用いた処理及びＰＤＣＰ-ＳＮの付与を行った後に送信を行った場合、移動局ＵＥとハンドオーバ先無線基地局ｅＮＢとの間で、ＨＦＮの不整合（ｍｉｓｍａｔｃｈ）が生じ、受信側装置において、正常な解読処理を行うことができない結果、上位ノードに正常なデータを渡すことができず、データの破棄や誤受信が生じ、下りリンクにおけるスループットが低下することが懸念されるという問題点があった。
【００２３】
以下、かかる問題点について、図７乃至図９を参照して簡単に説明する。
【００２４】
第１に、図７に示すように、ハンドオーバ元無線基地局ｅＮＢ＃１において、「ＨＦＮ：０」及び「ＰＤＣＰ-ＳＮ：４０９５」を用いて処理されたＰＤＣＰ-ＰＤＵまでは、ＲＬＣレイヤ機能における送達確認が取れている状態で、移動局ＵＥのハンドオーバ元無線基地局ｅＮＢ＃１配下のセルからハンドオーバ先無線基地局ｅＮＢ＃２配下のセルに対するハンドオーバ手順が起動する。
【００２５】
かかるハンドオーバ手順では、ハンドオーバ元無線基地局ｅＮＢ＃１は、ハンドオーバ先無線基地局ｅＮＢ＃２に対して、以下の情報を転送する。
【００２６】
-  次のＤＬ-ＰＤＣＰ-ＳＤＵの処理に用いる予定のＣＯＵＮＴ値を形成するＨＦＮ及びＰＤＣＰ-ＳＮ（「ＨＦＮ：１」及び「ＰＤＣＰ-ＳＮ：２０４８」）
-  ＲＬＣレイヤ機能に対して既に送信されているＰＤＣＰ-ＰＤＵであり、かつ、かかるＰＤＣＰ-ＰＤＵに対応する全てのＲＬＣ-ＰＤＵに対するＲＬＣ-ＡＣＫが確認できていないＰＤＣＰ-ＰＤＵに対応するＰＤＣＰ-ＳＤＵ（「ＨＦＮ：１」及び「ＰＤＣＰ-ＳＮ：０/１」）
-  ＣＯＵＮＴ値を用いた処理及びＰＤＣＰ-ＳＮの付与が既に行われており、かつ、ＲＬＣレイヤ機能に対して未だ送信されていないＰＤＣＰ-ＰＤＵに対応するＰＤＣＰ-ＳＤＵ（「ＨＦＮ：１」及び「ＰＤＣＰ-ＳＮ：２〜２０４７」）
-  ＰＤＣＰ-ＳＮが未だ付与されていないＰＤＣＰ-ＳＤＵ（「ＨＦＮ：１」及び「ＰＤＣＰ-ＳＮ：２０４８〜」）
また、ハンドオーバ元無線基地局ｅＮＢ＃１は、ＧＴＰヘッダオプションによって、ハンドオーバ先無線基地局ｅＮＢ＃２に対して、ＰＤＣＰ-ＳＤＵに既に付与されている「ＰＤＣＰ-ＳＮ：０〜２０４７」を通知するように構成されている。
【００２７】
第２に、図８に示すように、ハンドオーバ元無線基地局ｅＮＢ＃１とハンドオーバ先無線基地局ｅＮＢ＃２との間の伝送路において、「ＨＦＮ：１」及び「ＰＤＣＰ-ＳＮ：０〜２０４７」を用いて処理されたＰＤＣＰ-ＰＤＵが、バルクパケットロスにより、全て欠落する。
【００２８】
第３に、図９に示すように、ハンドオーバ先無線基地局ｅＮＢ＃２は、「ＨＦＮ：１」及び「ＰＤＣＰ-ＳＮ：２０４８」を用いて処理されたＰＤＣＰ-ＰＤＵから、移動局ＵＥに対する送信を開始するように構成されている。
【００２９】
ここで、移動局ＵＥは、「ＨＦＮ：１」及び「ＰＤＣＰ-ＳＮ：２０４８〜４０９５」を用いて処理されたＰＤＣＰ-ＰＤＵを受信しても、これらのＰＤＣＰ-ＰＤＵに付与されているＰＤＣＰ-ＳＮが「Ｒｘ_ｒｅｏｒｄｅｒｉｎｇ_ｗｉｎｄｏｗ」の外にあるので、これらのＰＤＣＰ-ＰＤＵを破棄するように構成されている。
【００３０】
移動局ＵＥは、「Ｒｘ_ｒｅｏｒｄｅｒｉｎｇ_ｗｉｎｄｏｗ」内のＰＤＣＰ-ＳＮが付与されているＰＤＣＰ-ＰＤＵを受信するまで、「Ｒｘ_ｒｅｏｒｄｅｒｉｎｇ_ｗｉｎｄｏｗ」 を更新することができない、すなわち、ハンドオーバ先無線基地局ｅＮＢ＃２に合わせてＨＦＮをインクリメントすることができない。
【００３１】
ハンドオーバ先無線基地局ｅＮＢ＃２は、移動局ＵＥにおいてＰＤＣＰ-ＰＤＵが破棄されていても、ＰＤＣＰ-ＰＤＵの送信を継続し、ＰＤＣＰ-ＳＮが一巡すれば、ＨＦＮをインクリメントする。
【００３２】
その後、移動局ＵＥは、「ＨＦＮ：２」及び「ＰＤＣＰ-ＳＮ：０〜２０４７」を用いて処理されたＰＤＣＰ-ＰＤＵを受信すると、「ＨＦＮ:２」を用いて解読処理を行うべきＰＤＣＰ-ＰＤＵに対して、「ＨＦＮ:１」を用いて解読処理を行ってしまうため、ハンドオーバ先無線基地局ｅＮＢ＃２と移動局ＵＥとの間で、ＨＦＮの不整合が発生してしまうという問題点があった。
【００３３】
同様に、移動局ＵＥの無線基地局ｅＮＢ配下の第１セル（接続元セル）から第２セル（接続先セル）への再接続手順において、無線基地局ｅＮＢ内部における第１セルを管理する機能と第２セルを管理する機能との間の伝送路で、バルクパケットロスが生じた状態で、第２セルを管理する機能が、上位ノードから受信した下りリンクデータに対して、新たなＨＦＮを用いた処理及びＰＤＣＰ-ＳＮの付与を行った後に送信を行った場合、移動局ＵＥと第２セルを管理する機能との間で、ＨＦＮの不整合（ｍｉｓｍａｔｃｈ）が生じ、受信側装置において、正常な解読処理を行うことができない結果、上位ノードに正常なデータを渡すことができず、データの破棄や誤受信が生じ、下りリンクにおけるスループットが低下することが懸念されるという問題点があった。
【００３４】
そこで、本発明は、上述の課題に鑑みてなされたものであり、ハンドオーバ元無線基地局とハンドオーバ先無線基地局との間の伝送路で、バルクパケットロスが生じた場合であっても、ハンドオーバ先無線基地局ｅＮＢ＃２と移動局ＵＥとの間のＨＦＮの不整合の発生を回避することができる移動通信システム及び無線基地局を提供することを目的とする。
【００３５】
また、本発明は、再接続元セルを管理する機能と再接続先セルを管理する機能との間の伝送路で、バルクパケットロスが生じた場合であっても、再接続先セルと移動局ＵＥとの間のＨＦＮの不整合の発生を回避することができる移動通信システム及び無線基地局を提供することを目的とする。
【課題を解決するための手段】
【００３６】
本発明の第１の特徴は、移動局の第１無線基地局配下のセルから第２無線基地局配下のセルに対するハンドオーバ手順を行うことができる移動通信システムであって、前記第１無線基地局において、ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、前記移動局において、ＰＤＣＰレイヤ機能は、受信したＰＤＣＰ-ＰＤＵに付与されているＰＤＣＰ-ＳＮが順序補正ウィンドウ外の値である場合、該ＰＤＣＰ-ＰＤＵを破棄するように構成されており、第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記第１無線基地局は、前記第２無線基地局に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、前記所定値は、前記順序補正ウィンドウのサイズよりも小さい値であることを要旨とする。
【００３７】
本発明の第２の特徴は、移動局の第１無線基地局配下のセルから第２無線基地局配下のセルに対するハンドオーバ手順を行うことができる移動通信システムにおいて該第１無線基地局として動作可能な無線基地局であって、ＰＤＣＰレイヤ機能と、転送部とを具備しており、前記ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記第１無線基地局は、前記第２無線基地局に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、前記所定値は、前記移動局のＰＤＣＰレイヤ機能において用いられている順序補正ウィンドウのサイズよりも小さい値であることを要旨とする。
【００３８】
本発明の第３の特徴は、移動局の無線基地局配下の第１セルから第２セルへの再接続手順を行うことができる移動通信システムであって、前記無線基地局において、ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、前記移動局において、ＰＤＣＰレイヤ機能は、受信したＰＤＣＰ-ＰＤＵに付与されているＣＯＵＮＴ値を形成するＰＤＣＰ-ＳＮが順序補正ウィンドウ外の値である場合、該ＰＤＣＰ-ＰＤＵを破棄するように構成されており、第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記無線基地局の前記第１セルを管理する機能は、前記再接続手順において、該無線基地局の前記第２セルを管理する機能に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、前記所定値は、前記順序補正ウィンドウのサイズよりも小さい値であることを要旨とする。
【００３９】
本発明の第４の特徴は、移動局の第１セルから第２セルに対する再接続手順を行うことができる移動通信システムにおいて該第１セル及び該第２セルを管理する無線基地局であって、ＰＤＣＰレイヤ機能と、前記第１セルを管理する機能と、前記第２セルを管理する機能とを具備しており、前記ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記第１セルを管理する機能は、前記再接続手順において、前記第２セルを管理する機能に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、前記所定値は、前記移動局のＰＤＣＰレイヤ機能において用いられている順序補正ウィンドウのサイズよりも小さい値であることを要旨とする。
【００４０】
本発明の第５の特徴は、移動局の無線基地局配下の第１セルから第２セルへのハンドオーバ手順を行うことができる移動通信システムであって、前記無線基地局において、ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、前記移動局において、ＰＤＣＰレイヤ機能は、受信したＰＤＣＰ-ＰＤＵに付与されているＣＯＵＮＴ値を形成するＰＤＣＰ-ＳＮが順序補正ウィンドウ外の値である場合、該ＰＤＣＰ-ＰＤＵを破棄するように構成されており、第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記無線基地局の前記第１セルを管理する機能は、前記ハンドオーバ手順において、該無線基地局の前記第２セルを管理する機能に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、前記所定値は、前記順序補正ウィンドウのサイズよりも小さい値であることを要旨とする。
【００４１】
本発明の第６の特徴は、移動局の第１セルから第２セルに対するハンドオーバ手順を行うことができる移動通信システムにおいて該第１セル及び該第２セルを管理する無線基地局であって、ＰＤＣＰレイヤ機能と、前記第１セルを管理する機能と、前記第２セルを管理する機能とを具備しており、前記ＰＤＣＰレイヤ機能は、上位レイヤ機能から受信したＰＤＣＰ-ＳＤＵに対してＣＯＵＮＴ値を用いた処理及びＰＤＣＰ-ＳＮの付与を行うことによって、ＰＤＣＰ-ＰＤＵを生成して、ＲＬＣレイヤ機能に対して送信するように構成されており、第１ＰＤＣＰ-ＰＤＵは、前記ＲＬＣレイヤ機能に対して既に送信されており、かつ、該第１ＰＤＣＰ-ＰＤＵに対応する全てのＲＬＣ-ＰＤＵに対するＲＬＣ-ＡＣＫが確認できていないＰＤＣＰ-ＰＤＵであり、第２ＰＤＣＰ-ＰＤＵは、ＣＯＵＮＴ値を用いた処理及びＰＤＣＰ-ＳＮの付与が既に行われており、かつ、前記ＲＬＣレイヤ機能に対して未だ送信されていないＰＤＣＰ-ＰＤＵであり、次のＰＤＣＰ-ＳＤＵの処理に用いる予定のＣＯＵＮＴ値が、前記第１ＰＤＣＰ-ＰＤＵの処理に用いられたＣＯＵＮＴ値のうち最も古い値及び所定値の和よりも大きい場合、前記第１セルを管理する機能は、前記ハンドオーバ手順において、前記第２セルを管理する機能に対して、該次のＰＤＣＰ-ＳＤＵの処理に用いる予定のＣＯＵＮＴ値を形成するＰＤＣＰ-ＳＮの代わりに、前記和を形成するＰＤＣＰ-ＳＮについて転送し、前記第１ＰＤＣＰ-ＳＤＵ及び前記第２ＰＤＣＰ-ＳＤＵの処理に用いられたＣＯＵＮＴ値のうち前記和以上のＣＯＵＮＴ値を形成するＰＤＣＰ-ＳＮについては転送しないように構成されており、前記所定値は、前記移動局のＰＤＣＰレイヤ機能において用いられている順序補正ウィンドウのサイズよりも小さい値であることを要旨とする。
【発明の効果】
【００４２】
以上説明したように、本発明によれば、ハンドオーバ元無線基地局とハンドオーバ先無線基地局との間の伝送路で、バルクパケットロスが生じた場合であっても、ハンドオーバ先無線基地局ｅＮＢ＃２と移動局ＵＥとの間のＨＦＮの不整合の発生を回避することができる移動通信システム及び無線基地局を提供することができる。
【００４３】
また、本発明によれば、再接続元セルを管理する機能と再接続先セルを管理する機能との間の伝送路で、バルクパケットロスが生じた場合であっても、再接続先セルと移動局ＵＥとの間のＨＦＮの不整合の発生を回避することができる移動通信システム及び無線基地局を提供することができる。
【図面の簡単な説明】
【００４４】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局の動作を示すフローチャートである。
【図４】本発明の第１の実施形態に係る移動通信システムの動作を説明するための図である。
【図５】本発明の第１の実施形態に係る移動通信システムの動作を説明するための図である。
【図６】本発明の第１の実施形態に係る移動通信システムの動作を説明するための図である。
【図７】従来の移動通信システムの動作を説明するための図である。
【図８】従来の移動通信システムの動作を説明するための図である。
【図９】従来の移動通信システムの動作を説明するための図である。
【発明を実施するための形態】
【００４５】
（本発明の第１の実施形態に係る移動通信システム）
図１乃至図６を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００４６】
図１に示すように、本実施形態に係る移動通信システムは、セル＃１を管理する無線基地局ｅＮＢ＃１と、セル＃２を管理する無線基地局ｅＮＢ＃２とを具備している。
【００４７】
本実施形態では、図１に示すように、移動局ＵＥが、セル＃１からセル＃２にハンドオーバするケースを例に挙げて説明する。
【００４８】
図２に示すように、ハンドオーバ元無線基地局ｅＮＢである無線基地局ｅＮＢ＃１は、ＰＤＣＰレイヤ機能１１と、ＲＬＣレイヤ機能１２と、送信部１３と、転送部１４とを具備している。
【００４９】
ＰＤＣＰレイヤ機能１１は、ＰＤＣＰレイヤとしての役割を果たすものであり、上位レイヤ機能から受信したＰＤＣＰ-ＳＤＵに対してＣＯＵＮＴ値を入力値として用いた処理及びＰＤＣＰ-ＳＮの付与を行うことによって、ＰＤＣＰ-ＰＤＵを生成して、ＲＬＣレイヤ機能１２に対して送信するように構成されている。
【００５０】
ＲＬＣレイヤ機能１２は、ＰＤＣＰレイヤ機能１１から受信したＰＤＣＰ-ＰＤＵ（ＲＬＣ-ＳＤＵ）に基づいて、ＲＬＣ-ＰＤＵを生成して、送信部１３を介して、移動局ＵＥに対して送信するように構成されている。
【００５１】
また、ＲＬＣレイヤ機能１２は、ＲＬＣ-ＰＤＵに対する送達確認情報（ＲＬＣ-ＡＣＫ/ＮＡＣＫ）を、ＰＤＣＰレイヤ機能１１に対して送信するように構成されている。
【００５２】
転送部１４は、かかるハンドオーバ手順において、無線基地局ｅＮＢ＃２に対して、以下の情報について転送するように構成されている。
【００５３】
-  次のＰＤＣＰ-ＳＤＵの処理に用いる予定のＣＯＵＮＴ値（Ｙ）を形成するＨＦＮ及びＰＤＣＰ-ＳＮ
-  ＲＬＣレイヤ機能に対して既に送信されているＰＤＣＰ-ＰＤＵであり、かつ、かかるＰＤＣＰ-ＰＤＵに対応する全てのＲＬＣ-ＰＤＵに対するＲＬＣ-ＡＣＫが確認できていないＰＤＣＰ-ＰＤＵ（第１ＰＤＣＰ-ＰＤＵ）に対応するＰＤＣＰ-ＳＤＵ（第１ＰＤＣＰ-ＳＤＵ）
-  ＰＤＣＰ-ＳＮが既に付与されており、かつ、ＲＬＣレイヤ機能に対して未だ送信されていないＰＤＣＰ-ＰＤＵ（第２ＰＤＣＰ-ＰＤＵ）に対応するＰＤＣＰ-ＳＤＵ（第２ＰＤＣＰ-ＳＤＵ）
-  ＰＤＣＰ-ＳＮが未だ付与されておらず、かつ、ＲＬＣレイヤ機能に対して未だ送信されていないＰＤＣＰ-ＰＤＵ（第３ＰＤＣＰ-ＰＤＵ）に対応するＰＤＣＰ-ＳＤＵ（第３ＰＤＣＰ-ＳＤＵ）
また、転送部１４は、ＧＴＰヘッダオプションによって、ハンドオーバ先無線基地局ｅＮＢである無線基地局ｅＮＢ＃２に対して、第１ＰＤＣＰ-ＳＤＵに付与されたＰＤＣＰ-ＳＮ及び第２ＰＤＣＰ-ＳＤＵに付与されたＰＤＣＰ-ＳＮを転送するように構成されている。
【００５４】
ただし、次のＰＤＣＰ-ＳＤＵの処理に用いる予定のＣＯＵＮＴ値（Ｙ）が、第１ＰＤＣＰ-ＰＤＵの処理に用いられたＣＯＵＮＴ値のうち最も古い値（Ｘ）及び所定値（Ｚ）の和（Ｘ＋Ｚ）よりも大きい場合、転送部１４は、無線基地局ｅＮＢ＃２に対して、次のＰＤＣＰ-ＳＤＵの処理に用いる予定のＣＯＵＮＴ値（Ｙ）を形成するＰＤＣＰ-ＳＮの代わりに、かかる和（Ｘ＋Ｚ）を形成するＰＤＣＰ-ＳＮについて転送するように構成されている。
【００５５】
また、かかる場合、転送部１４は、第１ＰＤＣＰ-ＳＤＵ及び第２ＰＤＣＰ-ＳＤＵの処理に用いられたＣＯＵＮＴ値のうち当該和（Ｘ＋Ｚ）以上のＣＯＵＮＴ値を形成するＰＤＣＰ-ＳＮについては転送しないように構成されている。
【００５６】
なお、所定値（Ｚ）は、移動局ＵＥのＰＤＣＰレイヤ機能において用いられている「Ｒｘ_ｒｅｏｒｄｅｒｉｎｇ_ｗｉｎｄｏｗ」のサイズ（２０４８）よりも小さい値である。
【００５７】
例えば、所定値（Ｚ）は、「Ｒｘ_ｒｅｏｒｄｅｒｉｎｇ_ｗｉｎｄｏｗ」のサイズ（２０４８）よりも「１」だけ小さい「２０４７」であってもよい。
【００５８】
以下、図３を参照して、本実施形態に係る無線基地局ｅＮＢ＃１の動作について説明する。
【００５９】
図３に示すように、ステップＳ１０１において、無線基地局ｅＮＢ＃１は、上述のハンドオーバ手順において、次のＰＤＣＰ-ＳＤＵの処理に用いる予定のＣＯＵＮＴ値（Ｙ）が、第１ＰＤＣＰ-ＰＤＵの処理に用いられたＣＯＵＮＴ値のうち最も古い値（Ｘ）及び所定値（Ｚ）の和（Ｘ＋Ｚ）よりも大きいか否かについて判定する。
【００６０】
「ＹＥＳ」の場合、本動作は、ステップＳ１０４に進み、「ＮＯ」の場合、本動作は、ステップＳ１０２に進む。
【００６１】
ステップＳ１０２において、無線基地局ｅＮＢ＃１は、無線基地局ｅＮｂ＃２に対して、第１ＰＤＣＰ-ＳＤＵ、第２ＰＤＣＰ-ＳＤＵ及び第３ＰＤＣＰ-ＳＤＵを転送すると共に、ＧＴＰヘッダオプションによって、第１ＰＤＣＰ-ＳＤＵ及び第２ＰＤＣＰ-ＳＤＵの全てに付与されているＰＤＣＰ-ＳＮを転送する。
【００６２】
ステップＳ１０３において、無線基地局ｅＮＢ＃１は、無線基地局ｅＮｂ＃２に対して、次のＰＤＣＰ-ＳＤＵの処理に用いる予定のＣＯＵＮＴ値（Ｙ）を形成するＨＦＮ及びＰＤＣＰ-ＳＮを転送する。
【００６３】
一方、ステップＳ１０４において、無線基地局ｅＮＢ＃１は、無線基地局ｅＮｂ＃２に対して、第１ＰＤＣＰ-ＳＤＵ、第２ＰＤＣＰ-ＳＤＵ及び第３ＰＤＣＰ-ＳＤＵを転送する。
【００６４】
また、無線基地局ｅＮＢ＃１は、無線基地局ｅＮｂ＃２に対して、ＧＴＰヘッダオプションによって、第１ＰＤＣＰ-ＳＤＵ及び第２ＰＤＣＰ-ＳＤＵの処理に用いられたＣＯＵＮＴ値のうち、上述の和（Ｘ＋Ｚ）未満のＣＯＵＮＴ値を形成するＰＤＣＰ-ＳＮのみを転送する。
【００６５】
すなわち、無線基地局ｅＮＢ＃１は、第１ＰＤＣＰ-ＳＤＵ及び第２ＰＤＣＰ-ＳＤＵの処理に用いられたＣＯＵＮＴ値であっても、上述の和（Ｘ＋Ｚ）以上のＣＯＵＮＴ値を形成するＰＤＣＰ-ＳＮについて、無線基地局ｅＮｂ＃２に対して転送しない。
【００６６】
ステップＳ１０５において、無線基地局ｅＮＢ＃１は、無線基地局ｅＮｂ＃２に対して、上述の和に相当するＣＯＵＮＴ値（Ｘ＋Ｚ）を形成するＨＦＮ及びＰＤＣＰ-ＳＮを転送する。
【００６７】
以下、図４乃至図６を参照して、本実施形態に係る移動通信システムの動作について説明する。
【００６８】
第１に、図４に示すように、無線基地局＃１において、「ＨＦＮ：０」及び「ＰＤＣＰ-ＳＮ：４０９５」を用いて処理されたＰＤＣＰ-ＰＤＵまでは、ＲＬＣレイヤ機能における送達確認が取れている状態で、移動局ＵＥのセル＃１からセル＃２に対するハンドオーバ手順が起動する。
【００６９】
かかるハンドオーバ手順では、無線基地局ｅＮＢ＃１は、無線基地局ｅＮＢ＃２に対して、以下の情報を転送する。
【００７０】
-  次のＤＬ-ＰＤＣＰ-ＳＤＵの処理に用いる予定のＣＯＵＮＴ値を形成するＨＦＮ及びＰＤＣＰ-ＳＮ「ＨＦＮ：１」及び「ＰＤＣＰ-ＳＮ：２０４７」
-  ＲＬＣレイヤ機能に対して既に送信されているＰＤＣＰ-ＰＤＵであり、かつ、かかるＰＤＣＰ-ＰＤＵに対応する全てのＲＬＣ-ＰＤＵに対するＲＬＣ-ＡＣＫが確認できていない第１ＰＤＣＰ-ＰＤＵに対応する第１ＰＤＣＰ-ＳＤＵ（「ＨＦＮ：１」及び「ＰＤＣＰ-ＳＮ：０/１」）
-  ＰＤＣＰ-ＳＮが既に付与されており、かつ、ＲＬＣレイヤ機能に対して未だ送信されていない第２ＰＤＣＰ-ＰＤＵに対応する第２ＰＤＣＰ-ＳＤＵ（「ＨＦＮ：１」及び「ＰＤＣＰ-ＳＮ：２〜２０４７」）
-  ＰＤＣＰ-ＳＮが未だ付与されておらず、かつ、ＲＬＣレイヤ機能に対して未だ送信されていない第３ＰＤＣＰ-ＰＤＵに対応する第３ＰＤＣＰ-ＳＤＵ（「ＨＦＮ：１」及び「ＰＤＣＰ-ＳＮ：２０４８〜」）
ここで、無線基地局ｅＮＢ＃１は、ＧＴＰヘッダオプションによって、無線基地局ｅＮＢ＃２に対して、ＰＤＣＰ-ＳＤＵの処理に用いられたＣＯＵＮＴ値のうち、第１ＰＤＣＰ-ＰＤＵの処理に用いられたＣＯＵＮＴ値のうち最も古い値（「ＨＦＮ：１」及び「ＰＤＣＰ-ＳＮ：０」）及び所定値（２０４７）の和（「ＨＦＮ：１」及び「ＰＤＣＰ-ＳＮ：２０４７」）未満のＣＯＵＮＴ値を形成する「ＰＤＣＰ-ＳＮ：０〜２０４６」を通知するように構成されている。
【００７１】
すなわち、無線基地局ｅＮＢ＃１は、ＧＴＰヘッダオプションによって、無線基地局ｅＮＢ＃２に対して、「ＰＤＣＰ-ＳＮ：２０４７」を通知しないように構成されている。
【００７２】
第２に、図５に示すように、無線基地局ｅＮＢ＃１と無線基地局ｅＮＢ＃２との間の伝送路において、「ＨＦＮ：１」及び「ＰＤＣＰ-ＳＮ：０〜２０４６」を用いて処理されたＰＤＣＰ-ＰＤＵに対応するＰＤＣＰ-ＳＤＵ、及び、「ＨＦＮ：１」及び「ＰＤＣＰ-ＳＮ：２０４７」を用いて処理される予定のＰＤＣＰ-ＳＤＵが、バルクパケットロスにより、全て欠落する。
【００７３】
第３に、図６に示すように、無線基地局ｅＮＢ＃２は、「ＨＦＮ：１」及び「ＰＤＣＰ-ＳＮ：２０４７」を用いて処理されたＰＤＣＰ-ＰＤＵから、移動局ＵＥに対する送信を開始するように構成されている。
【００７４】
ここで、移動局ＵＥは、「ＨＦＮ：１」及び「ＰＤＣＰ-ＳＮ：２０４７」を用いて処理されたＰＤＣＰ-ＰＤＵを「Ｒｘ_ｒｅｏｒｄｅｒｉｎｇ_ｗｉｎｄｏｗ」内で受信することができる。
【００７５】
そのため、移動局ＵＥは、「Ｒｘ_ｒｅｏｒｄｅｒｉｎｇ_ｗｉｎｄｏｗ」 を更新することができ、すなわち、無線基地局ｅＮＢ＃２に合わせてＨＦＮをインクリメントすることができる。
【００７６】
したがって、本実施形態に係る移動通信システムによれば、無線基地局ｅＮＢ＃１と無線基地局ｅＮＢ＃２との間の伝送路で、バルクパケットロスが生じた場合であっても、無線基地局ｅＮＢ＃２と移動局ＵＥとの間のＨＦＮの不整合の発生を回避することができる。
【００７７】
また、ＰＤＣＰ-ＳＤＵは、既にＣＯＵＮＴ値を用いた処理及びＰＤＣＰ-ＳＮの付与が行われていたとしても、無線基地局ｅＮＢ＃１において破棄される場合があり、破棄されたＰＤＣＰ-ＳＤＵをＲＬＣ-ＡＣＫが確認できていないＰＤＣＰ-ＳＤＵと見なした場合、適切でないＣＯＵＮＴ値に基づいて、上述の制御が行われる可能性がある。
【００７８】
よって、無線基地局ｅＮＢ＃１で破棄されたＰＤＣＰ-ＳＤＵについては、ＲＬＣ  ＡＣＫが確認できたものと見なすことも考えられる。
【００７９】
さらに、破棄されたＰＤＣＰ-ＳＤＵをＲＬＣ-ＡＣＫが確認できたと見なす条件に関して、破棄されたＰＤＣＰ-ＳＤＵに後続するＰＤＣＰ-ＰＤＵの少なくとも１つに関して、その全てに対してＲＬＣ-ＡＣＫが確認できた場合に、破棄されたＰＤＣＰ-ＳＤＵに対してＲＬＣ-ＡＣＫが確認できたと見なすことも考えられる。
【００８０】
以上に述べた本実施形態の特徴は、以下のように表現されていてもよい。
【００８１】
本実施形態の第１の特徴は、移動局ＵＥの無線基地局ｅＮＢ＃１（第１無線基地局）配下のセル＃１から無線基地局ｅＮＢ＃２（第２無線基地局）配下のセル＃２に対するハンドオーバ手順を行うことができる移動通信システムであって、無線基地局ｅＮＢ＃１において、ＰＤＣＰレイヤ機能１１は、上位レイヤ機能から受信したＰＤＣＰ-ＳＤＵに対してＣＯＵＮＴ値を用いた処理及びＰＤＣＰ-ＳＮの付与を行うことすることによって、ＰＤＣＰ-ＰＤＵを生成して、ＲＬＣレイヤ機能１２に対して送信するように構成されており、移動局ＵＥにおいて、ＰＤＣＰレイヤ機能１１は、受信したＰＤＣＰ-ＰＤＵに付与されているＰＤＣＰ-ＳＮが順序補正ウィンドウ外の値である場合、かかるＰＤＣＰ-ＰＤＵを破棄するように構成されており、第１ＰＤＣＰ-ＰＤＵは、ＲＬＣレイヤ機能１２に対して既に送信されており、かつ、第１ＰＤＣＰ-ＰＤＵに対応する全てのＲＬＣ-ＰＤＵに対するＲＬＣ-ＡＣＫが確認できていないＰＤＣＰ-ＰＤＵであり、第２ＰＤＣＰ-ＰＤＵは、ＣＯＵＮＴ値を用いた処理及びＰＤＣＰ-ＳＮの付与が既に行われており、かつ、ＲＬＣレイヤ機能１２に対して未だ送信されていないＰＤＣＰ-ＰＤＵであり、次のＰＤＣＰ-ＳＤＵの処理に用いる予定のＣＯＵＮＴ値（Ｙ）が、第１ＰＤＣＰ-ＰＤＵの処理に用いられたＣＯＵＮＴ値のうち最も古い値（Ｘ）及び所定値（Ｚ）の和よりも大きい場合、無線基地局ｅＮＢ＃１は、上述のハンドオーバ手順において、無線基地局ｅＮＢ＃２に対して、次のＰＤＣＰ-ＳＤＵの処理に用いる予定のＣＯＵＮＴ値（Ｙ）を形成するＰＤＣＰ-ＳＮの代わりに、かかる和を形成するＰＤＣＰ-ＳＮについて転送し、第１ＰＤＣＰ-ＳＤＵ及び第２ＰＤＣＰ-ＳＤＵの処理に用いられたＣＯＵＮＴ値のうち当該和以上のＣＯＵＮＴ値を形成するＰＤＣＰ-ＳＮについては転送しないように構成されており、所定値（Ｚ）は、順序補正ウィンドウのサイズよりも小さい値であることを要旨とする。
【００８２】
本実施形態の第２の特徴は、移動局ＵＥの無線基地局ｅＮＢ＃１配下のセル＃１から無線基地局ｅＮＢ＃２配下のセル＃２に対するハンドオーバ手順を行うことができる移動通信システムにおける無線基地局ｅＮＢ＃１であって、ＰＤＣＰレイヤ機能１１と、転送部１４とを具備しており、ＰＤＣＰレイヤ機能１１は、上位レイヤ機能から受信したＰＤＣＰ-ＳＤＵに対してＣＯＵＮＴ値を用いた処理及びＰＤＣＰ-ＳＮの付与を行うことすることによって、ＰＤＣＰ-ＰＤＵを生成して、ＲＬＣレイヤ機能１２に対して送信するように構成されており、第１ＰＤＣＰ-ＰＤＵは、ＲＬＣレイヤ機能１２に対して既に送信されており、かつ、第１ＰＤＣＰ-ＰＤＵに対応する全てのＲＬＣ-ＰＤＵに対するＲＬＣ-ＡＣＫが確認できていないＰＤＣＰ-ＰＤＵであり、第２ＰＤＣＰ-ＰＤＵは、ＣＯＵＮＴ値を用いた処理及びＰＤＣＰ-ＳＮの付与が既に行われており、かつ、ＲＬＣレイヤ機能１２に対して未だ送信されていないＰＤＣＰ-ＰＤＵであり、次のＰＤＣＰ-ＳＤＵの処理に用いる予定のＣＯＵＮＴ値（Ｙ）が、第１ＰＤＣＰ-ＰＤＵの処理に用いられたＣＯＵＮＴ値のうち最も古い値（Ｘ）及び所定値（Ｚ）の和よりも大きい場合、転送部１４は、上述のハンドオーバ手順において、無線基地局ｅＮＢ＃２に対して、次のＰＤＣＰ-ＳＤＵの処理に用いるＣＯＵＮＴ値（Ｙ）を形成するＰＤＣＰ-ＳＮの代わりに、かかる和を形成するＰＤＣＰ-ＳＮについて転送し、第１ＰＤＣＰ-ＳＤＵ及び第２ＰＤＣＰ-ＳＤＵの処理に用いられたＣＯＵＮＴ値のうち当該和以上のＣＯＵＮＴ値を形成するＰＤＣＰ-ＳＮについては転送しないように構成されており、所定値（Ｚ）は、移動局ＵＥのＰＤＣＰレイヤ機能において用いられている順序補正ウィンドウのサイズよりも小さい値であることを要旨とする。
【００８３】
（変更例）
以上、上述の実施形態を用いて本発明について詳細に説明したが、当業者にとっては、本発明が本明細書中に説明した実施形態に限定されるものではないということは明らかである。
【００８４】
例えば、本実施形態では、異なる無線基地局ｅＮＢ＃１と無線基地局ｅＮＢ＃２との間におけるハンドオーバに伴うデータ転送を行うケースを例に挙げて説明を行ったが、本発明は、同一の無線基地局におけるハンドオーバや再接続処理が行われるケースに適用されてもよい。
【００８５】
すなわち、移動局の無線基地局ｅＮＢ配下の第１セルから第２セルへのハンドオーバ又は再接続手順を行うケースでは、上述のハンドオーバ元無線基地局ｅＮＢ＃１が、無線基地局ｅＮＢの第１セルを管理する機能に相当し、上述のハンドオーバ先無線基地局ｅＮＢ＃２が、無線基地局ｅＮＢの第２セルを管理する機能に相当するものとする。
【００８６】
かかる変更例の特徴は、以下のように表現されていてもよい。
【００８７】
本変更例の第１の特徴は、移動局ＵＥの無線基地局ｅＮＢ配下の第１セルから第２セルに対する再接続手順（或いは、ハンドオーバ手順）を行うことができる移動通信システムであって、無線基地局ｅＮＢにおいて、ＰＤＣＰレイヤ機能１１は、上位レイヤ機能から受信したＰＤＣＰ-ＳＤＵに対してＣＯＵＮＴ値を用いた処理及びＰＤＣＰ-ＳＮの付与を行うことすることによって、ＰＤＣＰ-ＰＤＵを生成して、ＲＬＣレイヤ機能１２に対して送信するように構成されており、移動局ＵＥにおいて、ＰＤＣＰレイヤ機能１１は、受信したＰＤＣＰ-ＰＤＵに付与されているＰＤＣＰ-ＳＮが順序補正ウィンドウ外の値である場合、かかるＰＤＣＰ-ＰＤＵを破棄するように構成されており、第１ＰＤＣＰ-ＰＤＵは、ＲＬＣレイヤ機能１２に対して既に送信されており、かつ、第１ＰＤＣＰ-ＰＤＵに対応する全てのＲＬＣ-ＰＤＵに対するＲＬＣ-ＡＣＫが確認できていないＰＤＣＰ-ＰＤＵであり、第２ＰＤＣＰ-ＰＤＵは、ＣＯＵＮＴ値を用いた処理及びＰＤＣＰ-ＳＮの付与が既に行われており、かつ、ＲＬＣレイヤ機能１２に対して未だ送信されていないＰＤＣＰ-ＰＤＵであり、次のＰＤＣＰ-ＳＤＵの処理に用いる予定のＣＯＵＮＴ値（Ｙ）が、第１ＰＤＣＰ-ＰＤＵの処理に用いられたＣＯＵＮＴ値のうち最も古い値（Ｘ）及び所定値（Ｚ）の和よりも大きい場合、無線基地局ｅＮＢの第１セルを管理する機能は、上述の再接続手順（或いは、ハンドオーバ手順）において、無線基地局ｅＮＢの第２セルを管理する機能に対して、次のＰＤＣＰ-ＳＤＵの処理に用いる予定のＣＯＵＮＴ値（Ｙ）を形成するＰＤＣＰ-ＳＮの代わりに、かかる和を形成するＰＤＣＰ-ＳＮについて転送し、第１ＰＤＣＰ-ＳＤＵ及び第２ＰＤＣＰ-ＳＤＵの処理に用いられたＣＯＵＮＴ値のうち当該和以上のＣＯＵＮＴ値を形成するＰＤＣＰ-ＳＮについては転送しないように構成されており、所定値（Ｚ）は、順序補正ウィンドウのサイズよりも小さい値であることを要旨とする。
【００８８】
また、本変更例の第２の特徴は、移動局ＵＥの第１セルから第２セルに対する再接続手順（或いは、ハンドオーバ手順）を行うことができる移動通信システムにおける第１セル及び第２セルを管理する無線基地局ｅＮＢであって、ＰＤＣＰレイヤ機能１１と、第１セルを管理する機能と、第２セルを管理する機能とを具備しており、ＰＤＣＰレイヤ機能１１は、上位レイヤ機能から受信したＰＤＣＰ-ＳＤＵに対してＣＯＵＮＴ値を用いた処理及びＰＤＣＰ-ＳＮの付与を行うことすることによって、ＰＤＣＰ-ＰＤＵを生成して、ＲＬＣレイヤ機能１２に対して送信するように構成されており、第１ＰＤＣＰ-ＰＤＵは、ＲＬＣレイヤ機能１２に対して既に送信されており、かつ、第１ＰＤＣＰ-ＰＤＵに対応する全てのＲＬＣ-ＰＤＵに対するＲＬＣ-ＡＣＫが確認できていないＰＤＣＰ-ＰＤＵであり、第２ＰＤＣＰ-ＰＤＵは、ＣＯＵＮＴ値を用いた処理及びＰＤＣＰ-ＳＮの付与が既に行われており、かつ、ＲＬＣレイヤ機能１２に対して未だ送信されていないＰＤＣＰ-ＰＤＵであり、次のＰＤＣＰ-ＳＤＵの処理に用いる予定のＣＯＵＮＴ値（Ｙ）が、第１ＰＤＣＰ-ＰＤＵの処理に用いられたＣＯＵＮＴ値のうち最も古い値（Ｘ）及び所定値（Ｚ）の和よりも大きい場合、第１セルを管理する機能は、上述の再接続手順（或いは、ハンドオーバ手順）において、第２セルを管理する機能に対して、次のＰＤＣＰ-ＳＤＵの処理に用いるＣＯＵＮＴ値（Ｙ）を形成するＰＤＣＰ-ＳＮの代わりに、かかる和を形成するＰＤＣＰ-ＳＮについて転送し、第１ＰＤＣＰ-ＳＤＵ及び第２ＰＤＣＰ-ＳＤＵの処理に用いられたＣＯＵＮＴ値のうち当該和以上のＣＯＵＮＴ値を形成するＰＤＣＰ-ＳＮについては転送しないように構成されており、所定値（Ｚ）は、移動局ＵＥのＰＤＣＰレイヤ機能において用いられている順序補正ウィンドウのサイズよりも小さい値であることを要旨とする。
【００８９】
ここで、第１セル及び第２セルは、異なるセルであってもよいし、同一セルであってもよい。すなわち、本発明は、Ｉｎｔｒａ-ｃｅｌｌハンドオーバにも適用することができる。
【００９０】
また、例えば、本発明は、「第１ＰＤＣＰ-ＰＤＵの処理に用いられたＣＯＵＮＴ値のうち最も古い値（Ｘ）」を用いて説明したが、「ＲＬＣ-ＡＣＫを確認できたＰＤＣＰ-ＰＤＵのうち、最もＣＯＵＮＴ値の若いＰＤＣＰ-ＰＤＵの処理に用いられたＣＯＵＮＴ値」を用いてもよい、その場合、Ｚは、順序補正ウィンドウのサイズ以下の値をとる。
【００９１】
なお、上述の無線基地局ｅＮＢ＃１/ｅＮＢ＃２や移動局ＵＥの動作は、ハードウェアによって実施されてもよいし、プロセッサによって実行されるソフトウェアモジュールによって実施されてもよいし、両者の組み合わせによって実施されてもよい。
【００９２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃１/ｅＮＢ＃２や移動局ＵＥ内に設けられていてもよい。また、かかる記憶媒体及びプロセッサは、ディスクリートコンポーネントとして無線基地局ｅＮＢ＃１/ｅＮＢ＃２や移動局ＵＥ内に設けられていてもよい。
【００９４】
本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９５】
ｅＮＢ＃１、ｅＮＢ＃２…無線基地局
ＵＥ…移動局
１１…ＰＤＣＰレイヤ機能
１２…ＲＬＣレイヤ機能
１３…送信部
１４…転送部
【図１】
0005175973.tif 000002
【図２】
0005175973.tif 000003
【図３】
0005175973.tif 000004
【図４】
0005175973.tif 000005
【図５】
0005175973.tif 000006
【図６】
0005175973.tif 000007
【図７】
0005175973.tif 000008
【図８】
0005175973.tif 000009
【図９】
0005175973.tif 000010